(57)【要約】【課題】消耗部品の使用度を管理し、ユーザに交換に関する情報を提示する分析装置制御システムにおいて、従来よりもユーザに有意義な情報を提供する。【解決手段】分析装置１を構成する各ユニット４〜７の消耗部品４ａ〜７ａに対し、現時点までの使用時間や使用回数である使用度を管理する使用度管理部１２を設け、使用限度記憶部１１に記憶された使用限度値と使用度に基づき各消耗部品４ａ等の交換予定日（時刻を含む）を交換予定日算出部１３が算出する。算出された交換予定日を各消耗部品４ａ等に関して所定の表示形態でディスプレイ２に表示する。【選択図】図１
2014032022.tif 000002
【特許請求の範囲】
【請求項１】
一又は複数の消耗部品を含む分析装置を制御する分析装置制御システムであって、
各消耗部品に関し、予め定められた使用限度値を記憶する使用限度記憶部と、
各消耗部品に関し、現時点までの使用度を管理する使用度管理部と、
前記使用限度値及び前記使用度に基づき各消耗部品の交換予定日を算出する交換予定日算出部と、
各消耗部品に関する前記交換予定日を所定の表示形態でディスプレイに表示する消耗情報表示部と、
を有することを特徴とする分析装置制御システム。
【請求項２】
前記交換予定日算出部が、
消耗部品が一度も使用されていない場合又はその使用度が予め定められた有効使用下限値を下回っている場合には予め定められた初期値に基づいて交換予定日を算出し、
消耗部品の使用度が前記有効使用下限値以上の場合には、前記使用限度値から前記使用度を減じた値を１日あたりの平均使用度で除することで得られる残日数に基づいて交換予定日を算出する
ことを特徴とする請求項１に記載の分析装置制御システム。
【請求項３】
前記消耗情報表示部が、前記使用度が前記使用限度値を超えている、又は交換予定日が現時点から近い消耗部品に関する交換予定日を優先的に前記ディスプレイに表示する
ことを特徴とする請求項１又は２に記載の分析装置制御システム。
【請求項４】
前記消耗情報表示部が、消耗部品に関する交換予定日をユニットごとに分けてリスト表示する
ことを特徴とする請求項１〜３のいずれかに記載の分析装置。
【請求項５】
一又は複数の消耗部品を含む分析装置を制御する分析装置制御システムに使用されるプログラムであって、
各消耗部品に関し、予め定められた使用限度値を記憶する使用限度記憶部にアクセス可能なコンピュータを、
各消耗部品に関し、現時点までの使用度を管理する使用度管理部と、
前記使用限度値及び前記使用度に基づき各消耗部品の交換予定日を算出する交換予定日算出部と、
各消耗部品に関する前記交換予定日を所定の表示形態でディスプレイに表示する消耗情報表示部と、
して機能させることを特徴とする分析装置制御システム用プログラム。
【請求項６】
前記交換予定日算出部が、
消耗部品が一度も使用されていない場合又はその使用度が予め定められた有効使用下限値を下回っている場合には予め定められた初期値を交換予定日とし、
消耗部品の使用度が前記有効使用下限値以上の場合には、前記使用限度値から前記使用度を減じた値を１日あたりの平均使用度で除することで得られる残日数に基づいて交換予定日を算出する
ことを特徴とする請求項５に記載の分析装置制御システム用プログラム。
【請求項７】
前記消耗情報表示部が、前記使用度が前記使用限度値を超えている、又は交換予定日が現時点から近い消耗部品に関する交換予定日を優先的に前記ディスプレイに表示する
ことを特徴とする請求項５又は６に記載の分析装置制御システム用プログラム。
【請求項８】
前記消耗情報表示部が、消耗部品に関する交換予定日をユニットごとに分けてリスト表示する
ことを特徴とする請求項５〜７のいずれかに記載の分析装置制御システム用プログラム。
【発明の詳細な説明】
【技術分野】
【０００１】
本発明は、例えば赤外分光光度計、紫外可視分光光度計、クロマトグラフ等の分析装置を制御する分析装置制御システムに関し、より詳細には、消耗部品に関する情報を管理する機能を備えた分析装置を制御する分析装置制御システムに関する。また本発明は、そのような分析装置制御システム用のプログラムにも関する。
【背景技術】
【０００２】
上述したような各種の分析装置は一般に、一定の使用期間後に交換を要する消耗部品を含んでいる。例えば液体クロマトグラフ装置の場合、分離カラムや検出器のランプなどが消耗部品である。これらの交換を必要とする消耗部品は使用時間や使用回数に応じて消耗するので、適切に管理しなければ測定精度に影響し、測定結果の信頼性が低下する可能性がある。
【０００３】
とりわけ昨今では分析の環境を一定に保ち、測定結果の品質を安定させることが重要視されており、そのためには消耗部品の交換を適切に実行することも求められる。このような要求を踏まえ、多くの分析装置や分析装置制御システムでは、消耗部品の使用状況や交換の目安をユーザに通知する仕組みが備わっている。例えば特許文献１には、交換可能な部品に識別モジュールを取り付け、識別モジュールから出力される情報信号に基づき、部品の使用状況を管理するシステムが記載されている。これにより、たとえ部品がある分析装置から別の分析装置に移し替えられたとしても、その部品の情報を正しく管理することが可能である。
【先行技術文献】
【特許文献】
【０００４】
【特許文献１】特開２００５−２８３３３２号公報
【発明の概要】
【発明が解決しようとする課題】
【０００５】
特許文献１に記載されているシステムを含め、消耗部品を管理する機能を備えた従来の分析装置制御システムでは、主に次の２つの情報が各消耗部品に関して表示される。
（１）現時点での使用状況：交換目安値となる最大使用回数や最長使用時間と、それに対する現時点までの使用回数や使用時間。
（２）現時点で交換目安値を超えているか否か：使用回数や使用時間が交換目安値を超えている場合には警告を表示する。
【０００６】
しかしながら、これらの情報だけでは、ユーザは消耗部品について交換に関する現時点での情報を知ることができるものの、現在使用中の消耗部品の交換の予定についてわかりやすく知ることができないという問題があった。
【課題を解決するための手段】
【０００７】
上記のような課題を解決するために成された本発明に係る分析装置制御システムは、一又は複数の消耗部品を含む分析装置を制御する分析装置制御システムであって、
各消耗部品に関し、予め定められた使用限度値を記憶する使用限度記憶部と、
各消耗部品に関し、現時点までの使用度を管理する使用度管理部と、
前記使用限度値及び前記使用度に基づき各消耗部品の交換予定日を算出する交換予定日算出部と、
各消耗部品に関する前記交換予定日を所定の表示形態でディスプレイに表示する消耗情報表示部と、
を有することを特徴とする。
【０００８】
本発明に係る分析装置制御システムは、分析装置自体に組み込まれて一体的に動作することが可能である。
一方、近年、分析装置は単体で動作するのではなく、分析装置に対して制御用コンピュータ（以下、これを「ＰＣ」と表記する。）を接続し、制御用ＰＣから分析装置を制御したり分析の結果得られたデータを解析・管理したりすることも多くなっており、通常は一台の制御用ＰＣに対して異なる複数の分析装置を接続することができる。このようなシステム形態においてもまた、本発明は適用可能である。
【０００９】
また、このような分析装置制御システムに使用される分析装置制御システム用プログラムは、
各消耗部品に関し、予め定められた使用限度値を記憶する使用限度記憶部にアクセス可能なコンピュータを、
各消耗部品に関し、現時点までの使用度を管理する使用度管理部と、
前記使用限度値及び前記使用度に基づき各消耗部品の交換予定日を算出する交換予定日算出部と、
各消耗部品に関する前記交換予定日を所定の表示形態でディスプレイに表示する消耗情報表示部と、
して機能させることを特徴とする。
【発明の効果】
【００１０】
本発明に係る分析装置制御システムによれば、交換予定日算出部によって各消耗部品に関して交換予定日が算出され、それが消耗情報表示部によってディスプレイに表示される。従って、ユーザは直近に交換すべき消耗部品が何であるか、また、それぞれの消耗部品に関する交換予定時期を知ることができる。よって、消耗部品の管理がより容易となり、適切に消耗部品を管理することで分析の質を高く保つことが可能となる。
【図面の簡単な説明】
【００１１】
【図１】本発明に係る分析装置制御システムの概略構成図。
【図２】消耗情報表示部によってディスプレイに表示される画面の例。
【図３】消耗情報表示部によってディスプレイに表示される画面の他の例。
【図４】本発明に係る分析装置制御システムの他の実施形態の概略構成図。
【発明を実施するための形態】
【００１２】
以下、本発明に係る分析装置制御システムの実施形態の例を図面を参照しつつ詳細に説明する。
【００１３】
図１に、本発明に係る分析装置制御システムの一実施形態を示す。この実施形態では、分析装置制御システムは制御部１０として分析装置１に組み込まれている。図１に示されるように、分析装置１は、ポンプ４、検出器５、オートサンプラ６、カラムオーブン７等のユニットから構成されており、これらのユニットはそれぞれ消耗部品４ａ、…、５ａ、…、６ａ、…、７ａ、…を含んでいる。また、本分析装置１には制御部１０が備えられており、制御部１０には、各種の情報を表示するためのＬＣＤ（Liquid Crystal Display）等から成るディスプレイ２、キーボードなどから成る入力部３が接続されている。入力部３はディスプレイ２にユーザが直接触れることで各種の命令を入力可能なタッチパネルであってもよい。
【００１４】
制御部１０には、使用限度記憶部１１、使用度管理部１２、交換予定日算出部１３、消耗情報表示部１４が設けられている。使用限度記憶部１１は半導体メモリやハードディスクなどの不揮発性メモリで構成され、使用度管理部１２、交換予定日算出部１３、消耗情報表示部１４は、中央演算処理装置（ＣＰＵ）がメモリと共同して（いずれも非図示）所定のプログラムを実行することで具現化される。
【００１５】
使用限度記憶部１１には、各消耗部品に関し、予め定められた使用限度値が保存されている。使用限度値は例えば最大使用時間、最大使用回数、最大使用量などである。
【００１６】
使用度管理部１２は各消耗部品に関し、現時点までの使用度を管理する。この管理には使用度の記憶と更新が含まれる。使用度とは、使用時間、使用回数、使用量などで表される消耗部品の使用の度合いを表す値であり、分析装置１が使用される度に使用度管理部１２は各ユニット４〜７の消耗部品４ａ〜７ａ等に関する使用度を更新する。また、消耗部品４ａ等が交換された場合には使用度として初期設定値（通常は０）を設定する。
【００１７】
交換予定日算出部１３は、現在の日時と、使用期限記憶部１１に記憶されている使用限度値と、使用度管理部１２によって管理されている使用度に基づき、各消耗部品４ａ〜７ａの交換予定日（暦日）を算出する。なお、ここで言う「交換予定日」には、単に日だけの場合の他、日及び時刻（通常は、「時」程度でよい）を表す場合を含む。
交換予定日は、暦日ではなく、現在からの日数（使用残日数）又は時間（使用残時間）で表示してもよい。この使用残日数又は使用残時間の算出はいかなる方法で行っても構わないが、消耗部品４ａ〜７ａが一度も使用されていない場合には予め定められた初期値を使用残日数又は使用残時間とすればよい。使用された場合であっても、その使用度が少ない場合には適切な平均使用度を算出することができないことが多いため、使用度が所定の有効使用下限値を下回っている場合にも、前記の初期値を使用することが望ましい。
消耗部品４ａ等の使用度が予め定められた有効使用下限値以上の場合には、前記使用限度値から前記使用度を減じたものを１日あたり（又は単位時間あたり）の平均使用度で除することで得られる残日数（又は残時間）に基づいて交換予定日を決定するのが好ましい。
【００１８】
消耗情報表示部１４は、例えば入力部３から消耗情報表示命令が入力されたことに基づき、各消耗部品４ａ等に関する交換予定日を所定の表示形態でディスプレイ２に表示する。
【００１９】
図２に、消耗情報表示部１４によってディスプレイ２に表示される画面の例を示す。ここでは、分析装置１に含まれる消耗部品４ａ等が、交換予定日算出部１３によって算出された交換予定日の日付順に、使用度や交換目安（本発明における使用限度値）と共に一覧表示されている。図２の例では、使用度が交換目安を超えている、検出器５の消耗部品１（５ａ）が一番上に表示されるとともに、状態欄に「交換要」との注意が表示されている。検出器５の消耗部品１（５ａ）以下には、交換予定日が近い順に消耗部品が一覧表示されている。
【００２０】
また、図２に示す例では、全ての消耗部品を一度に一つの画面に表示することができないため、「次のページ」ボタンが設けられており、このボタンをユーザが入力部３を介して操作することにより、他の消耗部品に関する情報が表示される。このように、消耗情報表示部１４が、交換予定日が現時点から近い、又は既に過ぎている消耗部品４ａ等を優先的にディスプレイ２に表示することにより、ユーザは複数の消耗部品４ａ等の交換予定日を整理して理解することが可能である。
【００２１】
図３に、消耗情報表示部１４によってディスプレイ２に表示される画面の別の例を示す。この画面では、分析装置１に含まれる消耗部品４ａ等を全て表示するのではなく、それぞれの消耗部品４ａ等が属する各ユニット（ポンプ４、検出器５、オートサンプラ６、オーブン７）において、交換予定日が近い１又は２個の消耗部品４ａ等のみに関する情報が表示されている。図３の画面でも、使用度が交換目安を超えている、検出器５の消耗部品１（５ａ）に対しては「交換要」との文字が表示されるとともに、警告マークが図示されている。これによって、ユーザは消耗部品の交換の目安をユニットごとに分けて知ることが可能となる。
【００２２】
次に、本発明の別の実施形態について、概略構成図である図４を参照しつつ説明する。本実施形態に係る分析装置制御システム２０はインターフェース（Ｉ／Ｆ）２５を介して分析装置Ａ１とネットワーク（ＮＷ）を介して接続されている。当然、分析装置制御システム２０が複数の分析装置と接続されていても構わない。
【００２３】
図４に示した分析装置制御システム２０の実体はコンピュータであり、ＣＰＵ２１、メモリ２２、ディスプレイ２３、キーボードやマウスなどから成る入力部２４を備えている。また、ハードディスクやＳＳＤ（Solid State Drive）などから成る記憶装置２６を含み、該記憶装置２６には、分析装置制御システム用プログラム３１、使用限度記憶部３２の他、オペレーティングシステム（ＯＳ）３３が保存されている。使用限度記憶部３２は先に述べた実施例での分析装置１における使用限度記憶部１１と同一の構成であるため、説明を割愛する。
【００２４】
図４ではまた、分析装置制御システム用プログラム３１に係るように使用度管理部３４、交換予定日算出部３５、消耗情報表示部３６が示されているが、これらはいずれもＣＰＵ２１が分析装置制御システム用プログラム３１を実行することにより具現化される構成である。使用度管理部３４、交換予定日算出部３５、消耗情報表示部３６は、上述した分析装置１における使用度管理部１２、交換予定日算出部１３、消耗情報表示部１４と基本的に同一の動作を行うため、説明は省略する。
【００２５】
分析装置制御システム２０においても、分析装置制御システム用プログラム３１を実行することで、消耗情報表示部３６がディスプレイ２３に、図２や図３に示したような画面を表示する。
【００２６】
分析装置制御システム２０において、使用度管理部３４が管理する各消耗部品の使用度は、分析装置制御システム２０の記憶装置２６内に保存されていても良いが、分析装置Ａ１の側に保存されていても良い。
【００２７】
以上、本発明に係る分析装置制御システム及び分析装置制御システム用プログラムに関して実施例を挙げて説明したが、これらは例に過ぎず、本発明の精神内で適宜に変更や修正を行っても構わない。
例えば、本発明に係る分析装置制御システムに複数の分析装置が接続されている場合には、それら複数の異なる分析装置に含まれる全ての消耗部品を対象にして消耗情報表示部が交換予定日を表示することもできる。
【符号の説明】
【００２８】
１、Ａ１…分析装置
２、２３…ディスプレイ
３、２４…入力部
１０…制御部
１１、３２…使用限度記憶部
１２、３４…使用度管理部
１３、３５…交換予定日算出部
１４、３６…消耗情報表示部
２０…分析装置制御システム
【図１】
2014032022.tif 000003
【図２】
2014032022.tif 000004
【図３】
2014032022.tif 000005
【図４】
2014032022.tif 000006